(57)【要約】【課題】  ハウジングの剛性を確保できるリブを構成し、ポリゴンミラーの駆動時の騒音や振動の発生を軽減することで、画像不良の発生を防止できる。【解決手段】  ポリゴンミラー２０とｆθレンズ２２との間に、ハウジング４２の底面からリブ４４が立設され、このリブ４４に形成された開口部５２を、光ビームＬが通過するようになっている。このため、リブ４４を光ビームＬの通過領域よりも高くすることができ、ハウジング４２の剛性を上げることができる。また、光ビームＬを通過させるためにリブを切り欠いた場合と比較して、開口部５２は部分的にリブが連続するため、リブ４４の剛性が保たれる。これにより、光ビームＬの通過領域を確保しつつ、ハウジング４２の剛性を上げることが可能となる。【選択図】    図１
2006154656.tif 000002
【特許請求の範囲】
【請求項１】
光源から出射された光ビームを偏向走査するポリゴンミラーと、
前記ポリゴンミラーにより偏向走査された光ビームを露光面上に結像させる結像レンズと、
前記ポリゴンミラーと前記結像レンズとが収容され、底面から立設するリブで補強される光学箱と、
を有する光走査装置において、
前記ポリゴンミラーと前記結像レンズとの間に前記リブが設けられ、該リブには前記光ビームが通過可能な開口部が形成されていることを特徴とする光走査装置。
【請求項２】
前記リブは、前記光学箱の側壁の間に連続して該光学箱と一体成形されていることを特徴とする請求項１に記載の光走査装置。
【請求項３】
前記開口部は、前記リブの頂部を残して前記底面まで開口されていることを特徴とする請求項１又は請求項２に記載の光走査装置。
【請求項４】
前記開口部には、透過型光学素子が取り付けられ、該透過型光学素子で前記開口部が閉塞されることを特徴とする請求項１〜請求項３のいずれか１項に記載の光走査装置。
【請求項５】
前記透過型光学素子を保持する保持部材を前記開口部に嵌め込み、該透過型光学素子で該開口部を閉塞することを特徴とする請求項１〜請求項３のいずれか１項に記載の光走査装置。
【請求項６】
前記リブと直交する方向へ延びる周リブと前記側壁で前記ポリゴンミラーを囲み、前記周リブと前記リブの高さと同一にしたことを特徴とする請求項１〜請求項５のいずれか１項に記載の光走査装置。
【請求項７】
前記リブ、前記周リブ及び前記側壁で形成される空間を蓋部で閉塞することを特徴とする請求項１〜請求項６のいずれか１項に記載の光走査装置。
【発明の詳細な説明】
【技術分野】
【０００１】
本発明は、光学走査装置に関する。
【背景技術】
【０００２】
近年では、画像記録装置の高速化、高解像度化に伴って、ポリゴンミラーを駆動するモータも高速回転されるようになっている。モータの高速回転によって、モータの基本周波数が上昇する。このモータの基本周波数が、ハウジングの共振周波数と近似してくると共振状態となる。これにより、ハウジングが激しく振動し、画像にピッチむら等が生じる。
【０００３】
また、モータの基本周波数がハウジングの共振周波数を超えていると、モータの立ち上がり時や停止時にハウジングが共振して、大きな騒音を発生する。
【０００４】
さらに、樹脂材料で成形されたハウジングは、モータの回転による振動が伝わりやすい。これにより、画質が劣化する等のトラブルが発生しやすい。そこで、ハウジングに十分な剛性を持たせるために、ハウジングの厚みを大きくすれば、ハウジングを成形するのに多くの樹脂材料が必要となり、コストアップに繋がる。また、この場合、ハウジングの重量が増大するので、画像形成装置全体の重量増加にも繋がる。
【０００５】
この問題を解決するために、ハウジングの底面から立設したリブで補強したり（特許文献１参照）、振動源であるモータ周辺をリブで補強する対策が行われている（特許文献２参照）。しかし、いずれの場合にも、光ビームの通過領域を避ける高さのリブであり、ハウジングの剛性を十分に上げることができない。
【０００６】
また、図１１に示すように、別の光走査装置１００では、ハウジング１０８の側壁をつなぐリブ１１０を設けているものがある。このリブ１１０の高さは、光ビームの通過高さ以上を確保しているものの、光ビームの通過領域ではコ字状に切り欠いて光ビームの透過領域を確保しているため、ハウジング１０８の剛性は低下してしまう。
【特許文献１】特開平９−３３８４４号公報
【特許文献２】特開２００３−１８５９６０号公報
【発明の開示】
【発明が解決しようとする課題】
【０００７】
本発明は、ハウジングの剛性を確保できるリブを構成し、ポリゴンミラーの駆動時の騒音や振動の発生を軽減することで、画像不良の発生を防止できる光走査装置を提供することを目的とする。
【課題を解決するための手段】
【０００８】
請求項１に記載の本発明は、光源から出射された光ビームを偏向走査するポリゴンミラーと、前記ポリゴンミラーにより偏向走査された光ビームを露光面上に結像させる結像レンズと、前記ポリゴンミラーと前記結像レンズとが収容され、底面から立設するリブで補強される光学箱と、を有する光走査装置において、前記ポリゴンミラーと前記結像レンズとの間に前記リブが設けられ、該リブには前記光ビームが通過可能な開口部が形成されていることを特徴としている。
【０００９】
請求項１に記載の発明によれば、ポリゴンミラーと結像レンズとの間に、光学箱の底面からリブが立設され、このリブに形成された開口部を、光ビームが通過するようになっている。このため、リブを光ビームの通過領域よりも高くすることができ、光学箱の剛性を上げることができる。また、光ビームを通過させるためにリブを切り欠いた場合と比較して、開口部は部分的にリブが連続するため、リブの剛性が保たれる。これにより、光ビームの通過領域を確保しつつ、光学箱の剛性を上げることが可能となる。
【００１０】
したがって、光学箱の板厚を厚くしたり、リブの数を増やす必要がないので、光学箱を形成するために必要な樹脂材料を削減できる。
【００１１】
また、光学箱の剛性を高めることによって光学箱の共振周波数が上昇するので、ポリゴンミラーを高速回転させても光学箱が共振しにくくなり、画像のピッチむら等の発生を防止できる。
【００１２】
さらに、ポリゴンミラーと結像レンズとの間に設けたリブによって、光学箱の内部は、ポリゴンミラーが設けられた領域と、結像レンズが設けられた領域とに分離することができる。これにより、ポリゴンミラーを駆動させる際に発生する振動が、結像レンズが設けられた領域に伝導するのを極力抑えることができる。
【００１３】
請求項２に記載の本発明は、前記リブは、前記光学箱の側壁の間に連続して該光学箱と一体成形されていることを特徴としている。
【００１４】
請求項２に記載の発明によれば、リブを光学箱に一体成形することで、部品点数が増えず、光走査装置の組み立て工程が複雑にならない。また、このリブを光学箱の側壁の間に連続して形成することで、請求項１よりも光学箱の剛性を上げることができる。
【００１５】
請求項３に記載の本発明は、前記開口部は、前記リブの頂部を残して前記底面まで開口されていることを特徴としている。
【００１６】
請求項３に記載の発明によれば、開口部は、リブの頂部を残して光学箱の底板部まで開口していることで、光学箱の剛性を保持しながら、開口部の面積を大きく確保できる。
【００１７】
請求項４に記載の本発明は、前記開口部には、透過型光学素子が取り付けられ、該透過型光学素子で前記開口部が閉塞されることを特徴としている。
【００１８】
請求項４に記載の発明によれば、リブに形成された開口部に透過型光学素子を取り付けることによって開口部が閉塞される構成となっている。これにより、ポリゴンミラーが設置された領域に塵や埃等が入り込むのを防止することができる。
【００１９】
請求項５に記載の本発明は、前記透過型光学素子を保持する保持部材を前記開口部に嵌め込み、該透過型光学素子で該開口部を閉塞することを特徴としている。
【００２０】
請求項５に記載の発明によれば、透過型光学素子をリブに形成された直接開口部へ取り付けた場合には、透過型光学素子が取り付けられた取り付け部が破損した場合や、透過型光学素子の交換が必要になった場合、光学箱ごと取り替える必要性が生じる。そこで、透過型光学素子を保持部材に保持させて、この保持部材を開口部に取り付けて開口部を透過型光学素子で閉塞する構成とする。これにより、透過型光学素子が取り付けられた取り付け部が破損した場合や、透過型光学素子を取り替える必要性が生じた場合には、保持部材を開口部から取り外して交換することができるので、光学箱を交換する必要がない。
【００２１】
請求項６に記載の本発明は、前記リブと直交する方向へ延びる周リブと前記側壁で前記ポリゴンミラーを囲み、前記周リブと前記リブの高さと同一にしたことを特徴としている。
【００２２】
請求項６に記載の発明によれば、リブの高さを、リブと直交する方向へ延びる周リブと側壁の高さを同一にしたことで、ポリゴンミラーの周囲の剛性を上げることができる。これにより、ポリゴンミラーを駆動させる際に発生する振動が、ポリゴンミラーが配置された領域外へ伝わるのを抑えることができる。
【００２３】
請求項７に記載の本発明は、前記リブ、前記周リブ及び前記側壁で形成される空間を蓋部で覆うことを特徴としている。
【００２４】
請求項７に記載の発明によれば、リブと側壁で形成される空間を蓋部で覆うことで、ポリゴンミラーが設けられている領域が、光学箱内において閉塞された状態となる。すなわち、ポリゴンミラーを隔離した状態となる。これにより、ポリゴンミラーを駆動させる際に発生する騒音を低減させることもできる。さらに、ポリゴンミラーが設けられている領域に、塵や埃が入り込むのを防ぐことができる。
【発明の効果】
【００２５】
本発明は上記構成としたので、ハウジングの剛性を確保できるリブを構成し、ポリゴンミラーの駆動時の騒音や振動の発生を軽減することで、画像不良の発生を防止できる光走査装置を提供することができる。
【発明を実施するための最良の形態】
【００２６】
以下に図面を参照しながら本発明の第１の実施形態について説明する。
【００２７】
図１に示すように、光走査装置１０は、略箱状のハウジング４２を有している。ハウジング４２は、底面４２Ａと底面４２Ａの外周から立設する側壁４２Ｂとで構成されている。側壁４２Ｂの外側には、ハウジング４２内へ向かって光ビームＬを出射する半導体レーザ基板１１が配置されている。
【００２８】
図２に示すように、半導体レーザ基板１１には、光ビームＬを出射する半導体レーザ（以下、「ＬＤ」とする）が設けられており、ＬＤ１２から出射された光ビームＬの光路上には、コリメータレンズ１３及びスリット１４が設けられている。
【００２９】
ＬＤ１２から出射された光ビームＬは、コリメータレンズ１３によって、ＬＤ１２から発せられた略正規分布の光ビームは略平行な光ビームではなく、緩い発散光の光ビームＬとなり、スリット１４を通過することにより光軸付近の光のみからなる矩形の断面を持つ光ビームＬに整形される。
【００３０】
スリット１４を通過した光ビームＬの光路上にはシリンダレンズ１７と、拡大光学系である光学系１８、平面ミラー１５、１６、フィルタ２１、ｆθレンズ２２、２４、およびポリゴンミラー２０とが設けられている。光ビームＬは、シリンダレンズ１７、光学系１８を通過して平面ミラー１５で反射される。そして、フィルタ２１を通過して平面ミラー１６で反射され、ｆθレンズ２２、２４を通過し、ポリゴンミラー２０に導かれる。
【００３１】
ｆθレンズ２２、２４は、平面ミラー１６によってポリゴンミラー２０に正面から入射された光ビームＬ及びポリゴンミラー２０によって反射偏向された光ビームＬが共に入射するように配置されている。すなわち、ポリゴンミラー２０による反射偏向の前後２回、光ビームがこのｆθレンズ２２、２４を通過するようになっており、本光学系は全体として、いわゆる正面入射／ダブルパス光学系を形成している。これにより本光学系では、主走査方向における光量をある程度まで一様に保ちながら広い走査幅を確保している。
【００３２】
ポリゴンミラー２０により反射されてｆθレンズ２４、２２を通過した光ビームＬは、平面ミラー２６、３１、シリンダーミラー２８で反射され、走査線として透過窓３０から感光体ドラム４０に向けて出射され、感光体ドラム４０の表面を等速度で移動することにより走査露光を行なう。
【００３３】
また、ポリゴンミラー２０による走査開始位置を検出するために平面ミラー２６の長手方向端部で反射された光ビームＬを反射するＳＯＳ（走査開始位置）ミラー３６と、ＳＯＳミラー３６からの光ビームを受光し、同期検出信号を発するＳＯＳセンサ３２と、ＳＯＳミラー３６とＳＯＳセンサ３２との光路中に配置され、光ビームＬをＳＯＳセンサ３２に収束するＳＯＳレンズ３４とが設けられている。平面ミラー２６の長手方向端部で反射された光ビームＬは、ＳＯＳミラー３６で反射され、ＳＯＳレンズ３４で副走査方向に収束される。ＳＯＳセンサ３２は、ＬＤ１２の出力の変調を行う制御部に接続されて同期検出器としての役割を果たしており、ＳＯＳセンサ３２に光ビームＬが入射すると、その旨を伝える信号が制御部に送信され、制御部がＬＤ１２の出力の変調を行う。変調された光ビームＬは、シリンダーミラー２８で反射され透過窓３０から出射して感光体ドラム４０の表面に到達し、画像の記録が開始される。
【００３４】
なお、ハウジング４２（図１参照）の上部開口は、図示しない蓋部材により閉塞される構成となっている。
【００３５】
図３に示すように、ポリゴンミラー２０を回転駆動するモータ３８は、モータ基板３９の上に設けられている。モータ基板３９は、リブ４４、リブ４６、５０及び側壁４２Ｂに形成された段差４８で囲まれている。リブ４４は、ハウジング４２の底面４２Ａから、ハウジング４２の側壁４２Ｂの間に連続して立設している（図１参照）。また、リブ４６及びリブ５０は、リブ４４に対して直交するようにして、ハウジング４２の底面４２Ａから立設している。さらに、段差４８は、ハウジング４２の側壁４２Ｂから一段切り下げられて、リブ４４、４６、５０と同じ高さとされている。
【００３６】
リブ４４、４６、５０及び段差４８の高さは、モータ３８に搭載されたポリゴンミラー２０よりも高くされており、モータ基板３９、モータ３８及びポリゴンミラー２０は、リブ４４、４６、５０及び段差４８によって四方を囲まれた状態となっている。
【００３７】
ポリゴンミラー２０とｆθレンズ２２の間に形成されているリブ４４の略中央部には、略矩形状の開口部５２が形成されている。開口部５２は、連続した上枠部４４Ａと下枠部４４Ｂに囲まれており、光ビームＬ（図２参照）が通過可能とされている。
【００３８】
ｆθレンズ２２を通過してポリゴンミラー２０へ向かう光ビームＬ及びポリゴンミラー２０で偏向され、ｆθレンズ２２に入射する光ビームＬは、この開口部５２を通過する構成となっている。
【００３９】
なお、開口部５２は、ハウジング４２の底面４２Ａ及びリブ４４を成形する金型に対してアンダーカットになる。そこで、この開口部５２を形成するために、ハウジング４２の底面４２Ａ及びリブ４４を成形する金型をスライド構造とする。そして、金型の開閉によって、金型の開閉方向と直交する方向にスライドコアがスライドすることで、開口部５２が形成される。
【００４０】
図４（Ａ）に示すように、開口部５２のポリゴンミラー２０側の立面には、ｆθレンズ２４が取り付けられるようになっている。図４（Ｂ）に示すように、開口部５２の下枠部４４Ｂには段部５４が形成されており、この段部５４にｆθレンズ２４を載置して、開口部５２を閉塞する。このとき、ｆθレンズ２４の両端面をリブ４４の角部４４Ｃに接着剤で固定する。
【００４１】
なお、本実施形態では、ｆθレンズ２４を開口部５２のポリゴンミラー２０側に取り付ける構成としたが、ｆθレンズ２２側に取り付けてもよい。
【００４２】
また、本実施形態では、ｆθレンズ２４で開口部５２を閉塞する構成としたが、開口部５２を閉塞する部材としては、ｆθレンズ２４以外にも光学ガラスなどの透過光学素子を用いることができる。
【００４３】
次に、本発明の第１の実施形態の作用について説明する。
【００４４】
図３に示すように、ポリゴンミラー２０とｆθレンズ２２との間に、ハウジング４２の底面からリブ４４が立設され、このリブ４４に形成された開口部５２を、光ビームＬが通過するようになっている。このため、リブ４４を光ビームＬの通過領域よりも高くすることができ、ハウジング４２の剛性を上げることができる。また、光ビームＬを通過させるためにリブを切り欠いた場合と比較して、開口部５２は連続した上枠部４４Ａと下枠部４４Ｂに囲まれているため、リブ４４の剛性が保たれる。これにより、光ビームＬの通過領域を確保しつつ、ハウジング４２の剛性を上げることが可能となる。
【００４５】
したがって、ハウジング４２の板厚を厚くしたり、リブの数を増やす必要がないので、ハウジング４２を形成するために必要な樹脂材料を削減できる。
【００４６】
また、ハウジング４２の剛性を高めることによってハウジング４２の共振周波数が上昇するので、ポリゴンミラー２０を高速回転させてもハウジング４２が共振しにくくなり、画像のピッチむら等の発生を防止できる。
【００４７】
さらに、ポリゴンミラー２０とｆθレンズ２２との間に設けたリブ４４によって、ハウジング４２の内部は、ポリゴンミラー２０が設けられた領域と、ｆθレンズ２２が設けられた領域とに分離することができる。これにより、ポリゴンミラー２０を駆動させる際に発生する振動が、ｆθレンズ２２が設けられた領域に伝導するのを極力抑えることができる。
【００４８】
また、リブ４４をハウジング４２に一体成形することで、部品点数が増えず、光走査装置１０の組み立て工程が複雑にならない。さらに、このリブ４４をハウジング４２の側壁４２Ｂの間に連続して形成することで、リブ４４によってハウジング４２の剛性を上げることができる。
【００４９】
次に、本発明の第２の実施形態に係る光走査装置について説明する。なお、第１の実施形態と同様の部分についての説明は割愛する。
【００５０】
図５に示すように、リブ４４の略中央部には開口部５６が形成されている。開口部５６は、上枠部４４Ａを残してハウジング４２の底面４２Ａまで開放されている。すなわち、開口部５６は、リブ４４の頂部を上枠部４４Ａとして残し、ハウジング４２の底面４２Ａまで開口している。
【００５１】
図６に示すように、開口部５６のポリゴンミラー２０側の面からハウジング４２の底面４２Ａにかけて、ホルダー６０が取り付けられるようになっている。
【００５２】
図７（Ａ）に示すように、ホルダー６０は、一方向から見たときに略Ｌ字状のブロック６２を備えている。ブロック６２のベース板６２Ｂは開口部５６へ挿入される。ベース板６２Ｂの両端部には、壁部６２Ａが立設され、壁部６２Ａの間は光ビームＬが通過する開口となっている。また、ベース板６２Ｂが開口部５６へ挿入されたとき、壁部６２Ａは開口部５６の中に位置する。これにより、開口部５６の両側の隙間が閉じられる。さらに、ベース板６２Ｂにはネジ孔７６が形成され、このネジ孔７６へネジ７２を挿入し、ハウジング４２（図５参照）の底面４２Ａに形成されたネジ孔５８へ挿入締結する。
【００５３】
図７（Ｂ）には、ホルダー６０を開口部５６に取り付けたとき、ポリゴンミラー２０側から見たときの、ホルダー６０が示されている。
【００５４】
ブロック６２のポリゴンミラー２０側（図６参照）には、小ブロック６４が形成されている。小ブロック６４の中央部には、壁部６２Ａの間に形成された開口と略同一のサイズの開口６８が形成されている。また、開口６８の周りには段差６６が形成されている。この段差６６にｆθレンズ２４が嵌め込まれ、段差６６を構成する壁面６６Ａに塗布された接着剤で固定される。
【００５５】
このｆθレンズ２４を固定したホルダー６０を、開口部５６へ嵌め込み、ネジ７２でハウジング４２の底面４２Ａに固定することで、開口部５６がｆθレンズ２４とホルダー６０で閉塞される。
【００５６】
次に、本発明の第２の実施形態の作用について説明する。
【００５７】
図１に示すように、ｆθレンズ２４を直接リブ４４に形成された開口部５２へ取り付けている場合には、ｆθレンズ２４が取り付けられた段部５４が破損した場合や、ｆθレンズ２４の交換が必要になった場合、ハウジング４２ごと取り替える必要性が生じる。
【００５８】
そこで、図７に示すように、ｆθレンズ２４をホルダー６０に保持させて、このホルダー６０を開口部５６に取り付け、開口部５６をｆθレンズ２４で閉塞する構成とすれば、ｆθレンズ２４を取り替える必要性が生じた場合には、ホルダー６０をハウジング４２から取り外して交換すればよい。
【００５９】
また、図８に示すように、リブ４４、４６、５０及び段差４８は同一高さとされているので、リブ４４、４６、５０及び段差４８の頂面に板状の蓋７８を載置することで、ポリゴンミラー２０が設けられている領域が、ハウジング４２内において密閉された状態となる。すなわち、ポリゴンミラー２０を隔離した状態となる。これにより、ポリゴンミラー２０を駆動させたときに発生する振動が、ｆθレンズ２２が設けられている領域に伝わるのを防ぐことができる。また、ポリゴンミラー２０を駆動させる際に発生する騒音を低減させることもできる。さらに、ポリゴンミラー２０が設けられている領域に、塵や埃が入り込むのを防ぐことができる。
【００６０】
次に、本発明の第３の実施形態に係る光走査装置８０について説明する。
【００６１】
まず、光走査装置８０の概略構成について簡単に説明する。
【００６２】
図９に示すように、光走査装置８０は略箱状のハウジング８２を有している。ハウジング８２は、底面８２Ａと、底面８２Ａの外周から立設する側壁８２Ｂとで構成されており、上方の開口部分は図示しない蓋体によって閉塞される構成となっている。
【００６３】
ハウジング８２の側壁８２Ｂには、レーザ光を出射する光源（ＬＤ）を備えたＬＤ基板８４が取り付けられており、ハウジング８２の底面８２Ａには、コリメータレンズ８６、シリンダレンズ８８、ポリゴンミラー９０、ｆθレンズ９４等の部品が設置されている。また、ポリゴンミラー９０を回転駆動するモータ（図示省略）は、モータ基板９２上に設けられている。
【００６４】
コリメータレンズ８６は、ＬＤ基板８４に搭載されたＬＤからの光ビームを略平行光とし、シリンダレンズ８８に通過させた後、ハウジング８２のリブ８１に形成された開口部８３を通過してポリゴンミラー９０に入射し、偏向される。ポリゴンミラー９０によって偏向された光ビームは、リブ１５０に形成された開口部１５８を介してｆθレンズ９４によって集光され、リブ１５４に形成された開口部１６０、側壁８２Ｂに形成された開口部９６を通過して光走査装置８０から所定距離離間した位置に配置される図示しない感光体上に結像される。つまり、この光走査装置８０では、第１の実施形態と異なり、一平面で光ビームを走査している。なお、光走査開始位置を検出するためのＳＯＳミラー、ＳＯＳ基板等の図示は省略している。
【００６５】
このような構成の光走査装置８０において、ｆθレンズ９４は、リブ１５０、１５２、１５６、１５４によって囲まれている。リブ１５０は、ハウジング８２の底面８２Ａから立設され、ハウジング８２の側壁８２Ｂの間に連続して形成されている。また、リブ１５２、１５６は、リブ１５０に対して直交するようにして、ハウジング８２の底面８２Ａから立設している。さらに、リブ１５４は、リブ１５０に平行となるようにして、ハウジング８２の側壁８２Ｂの間に連続して形成されている。
【００６６】
リブ１５０は、ポリゴンミラー９０とｆθレンズ９４の間に形成されており、略中央部には矩形状の開口部１５８が形成され、光ビームが通過可能となっている。これにより、ポリゴンミラー９０で偏向された光ビームは、開口部１５８を通過して、ｆθレンズ９４に入射し、リブ１５４に形成された開口部１６０及び側壁８２Ｂに形成された開口部９６を通過して、図示しない感光体に出射される。
【００６７】
このように、ポリゴンミラー９０とｆθレンズ９４の間に、ハウジング８２の側壁の間に連続して形成されたリブ１５０を設けることで、ハウジング８２の剛性を高めることができる。
【００６８】
なお、本実施形態では、ポリゴンミラー９０とｆθレンズ９４の間に設けられたリブ１５０と、ｆθレンズ９４を挟んでリブ１５０と対向する位置に設けられたリブ１５４の両方に、光ビームＬが通過する開口部１５８、１６０を形成する構成としたが、図１０に示すように、リブ１５４には開口ではなく上方向が開口した切欠状の切欠部１６２を形成してもよい。少なくとも、ｆθレンズ９４との間のリブ１５０を開口とすれば、ハウジング８２の剛性を高めることができるので、開口部を二箇所形成する場合と比較して、ハウジング８２を成形する金型の構造が簡単になる。
【図面の簡単な説明】
【００６９】
【図１】本発明の第１の実施形態に係る光学走査装置を示す斜視図である。
【図２】本発明の第１の実施形態に係る光学走査装置を示す斜視図である。
【図３】本発明の第１の実施形態に係る光学走査装置の開口部を示す部分斜視図である。
【図４】（Ａ）本発明の第１の実施形態に係る光学走査装置の開口部を示す部分斜視図であり、（Ｂ）側面断面図である。
【図５】本発明の第２の実施形態に係る光学走査装置の開口部を示す部分斜視図である。
【図６】本発明の第２の実施形態に係る光学走査装置の開口部にホルダーを取り付けた状態を示す部分斜視図である。
【図７】本発明の第２の実施形態に係る光学走査装置のホルダーを示す分解斜視図である。
【図８】本発明の他の実施形態に係る光学走査装置の開口部を示す分解斜視図である。
【図９】本発明の第３の実施形態に係る光学走査装置を示す斜視図である。
【図１０】本発明の他の実施形態に係る光学走査装置を示す斜視図である。
【図１１】従来の光学走査装置を示す斜視図である。
【符号の説明】
【００７０】
１０   光走査装置
２０   ポリゴンミラー
２２   ｆθレンズ（結像レンズ）
２４   ｆθレンズ（透過型光学素子）
４２   ハウジング（光学箱）
４４   リブ
４６  リブ（周リブ）
４８  段差（側壁）
５０  リブ（周リブ）
５２   開口部
５６   開口部
６８   開口部
７８   蓋（蓋部）
８０   光走査装置
８２   ハウジング（光学箱）
９０   ポリゴンミラー
１５０ リブ
１５８ 開口部
【図１】
2006154656.tif 000003
【図２】
2006154656.tif 000004
【図３】
2006154656.tif 000005
【図４】
2006154656.tif 000006
【図５】
2006154656.tif 000007
【図６】
2006154656.tif 000008
【図７】
2006154656.tif 000009
【図８】
2006154656.tif 000010
【図９】
2006154656.tif 000011
【図１０】
2006154656.tif 000012
【図１１】
2006154656.tif 000013